(57)【特許請求の範囲】
【請求項１】
網を装着した網枠を柄の先端に着脱自在に取り付けてなるたも網において、
上記柄と網枠とを、柄に取り付けた雌継手と、網枠に設けた雄継手との組合せにより着脱自在に連結し、
上記雌継手は、上記雄継手を受け入れる嵌入穴を有する内部部材と、その内部部材の外周に柄の長さ方向にスライド自在に嵌められた筒状の操作部材を有し、
上記雄継手は、周方向の係合溝を有し、
上記内部部材と操作部材との間に、これら両部材に柄の長さ方向の付勢力を与えるバネ部材を介在させると共に、上記操作部材に上記内部部材の抜け出しを防止する係止部を設け、
上記内部部材に上記嵌入穴に通じたロック片収納部を設け、そのロック片収納部に収納したロック片に、上記操作部材の内面に設けた押さえ面をあてることにより、そのロック片を上記雄継手の係合溝に係合させ、
上記押さえ面の上方に係合解除用の凹部を設けたことを特徴とするたも網。
【請求項２】
上記の網枠を半円形の２本の枠材の組合せにより構成し、上記２本の枠材の一端相互を柄と同一中心を有する連結ピンにより連結し、各枠材の他端相互に、該網枠の円形展開時に相互に嵌まり合う雌雄の嵌合部を設け、その雄嵌合部に網枠外方に上記雄継手を突設し、上記雌嵌合部にその雄継手を貫通させる穴を設け、上記雄継手の長さ方向に上記の係合溝を所要の間隔をおいて２か所に設けたことを特徴とする請求項１に記載のたも網。
【請求項３】
四分の一円形の２本の上部枠材と、２本の下部枠材の２組の組合せにより構成し、上記２本の上部枠材の一端相互を柄と同一中心を有する連結ピンにより連結し、上部枠材と下部枠材相互を、該網枠の円形展開時に網枠によって形成する平面に対して直角方向の連結ピンにより屈曲自在に連結し、上記下部枠材相互に、該網枠の円形展開時に相互に嵌まり合う雌雄の嵌合部を設け、その雄嵌合部に網枠外方に上記雄継手を突設し、上記雌嵌合部にその雄継手を貫通させる穴を設け、上記雄継手の長さ方向に上記の係合溝を所要の間隔をおいて２か所に設けたことを特徴とする請求項１に記載のたも網。
【発明の詳細な説明】
【０００１】
【発明の属する技術分野】
この発明は、たも網に関し、詳しくは、網を装着した網枠と柄とが着脱自在に取り付けてなるたも網に関する。
【０００２】
【従来の技術】
一般に、魚釣りに用いられるたも網は、網を装着した網枠が柄の先端に固着されたものであり、使用目的に応じた大きさを有する。このため、移動時やこのたも網を使用しないときは持ち運びや保管に不便である。
【０００３】
このため、柄を伸縮自在の構成を有してその長さを調節することができるものや、また、網枠と柄とを分離し、これらをネジ結合によって着脱自在に連結したものが知られている。
【０００４】
【発明が解決しようとする課題】
しかしながら、上記のネジ結合方式の場合、分離した網枠と柄を組み立てるとき、網枠又は柄の一方を固定させ、他方を回転させながらネジを嵌め込む必要があり、組み立てに手間がかかり不便であった。
【０００５】
そこで、この発明の課題は、素早くかつ容易に組み立てることのできるたも網を提供することである。
【０００６】
【課題を解決するための手段】
上記の課題を解決するため、この発明は、網を装着した網枠を柄の先端に着脱自在に取り付けてなるたも網において、上記柄と網枠とを、柄に取り付けた雌継手と、網枠に設けた雄継手との組合せにより着脱自在に連結し、上記雌継手は、上記雄継手を受け入れる嵌入穴を有する内部部材と、その内部部材の外周に柄の長さ方向にスライド自在に嵌められた筒状の操作部材を有し、上記雄継手は、周方向の係合溝を有し、上記内部部材と操作部材との間に、これら両部材に柄の長さ方向の付勢力を与えるバネ部材を介在すると共に、上記操作部材に上記内部部材の抜け出しを防止する係止部を設け、上記内部部材に上記嵌入穴に通じたロック片収納部を設け、そのロック片収納部に収納したロック片に、上記操作部材の内面に設けた押さえ面をあてることにより、そのロック片を上記雄継手の係合溝に係合させ、上記押さえ面の上方に係合解除用の凹部を設けた構成を採用した。
【０００７】
また、上記の網枠を半円形の２本の枠材の組合せにより構成し、上記２本の枠材の一端相互を柄と同一中心を有する連結ピンにより連結し、各枠材の他端相互に、該網枠の円形展開時に相互に嵌まり合う雌雄の嵌合部を設け、その雄嵌合部に網枠外方に上記雄継手を突設し、上記雌嵌合部にその雄継手を貫通させる穴を設け、上記雄継手の長さ方向に上記の係合溝を所要の間隔をおいて２か所に設けることができる。
【０００８】
さらに、四分の一円形の２本の上部枠材と、２本の下部枠材の２組の組合せにより構成し、上記２本の上部枠材の一端相互を柄と同一中心を有する連結ピンにより連結し、上部枠材と下部枠材相互を、該網枠の円形展開時に網枠によって形成する平面に対して直角方向の連結ピンにより屈曲自在に連結し、上記下部枠材相互に、該網枠の円形展開時に相互に嵌まり合う雌雄の嵌合部を設け、その雄嵌合部に網枠外方に上記雄継手を突設し、上記雌嵌合部にその雄継手を貫通させる穴を設け、上記雄継手の長さ方向に上記の係合溝を所要の間隔をおいて２か所に設けることができる。
【０００９】
上記の構成によると、雌継手のロック片の一部が内部部材の嵌入穴に突出して雄継手の係合溝に係合するので、雌継手と雄継手を介して網枠と柄とを連結できる。
【００１０】
また、操作部材をバネ部材の付勢力に抗して移動させると、ロック片の背面に係合解除用の凹部が対向する。そこで、雄継手を雌継手から抜き出したり挿入したりすると、ロック片が係合解除用の凹部に逃げるので、容易に抜き出し・挿入ができる。
【００１１】
【発明の実施の形態】
以下、この発明の実施形態を図面を参照して説明する。
【００１２】
この発明にかかるたも網１は、図１に示すように、網２を装着した網枠３を柄４の上端に着脱自在に取り付けてなる。この柄４と網枠３とは、柄４の上端に取り付けた雌継手５と、網枠３の下端に設けた軸状の雄継手６（図３参照）との組合せにより着脱自在に連結される。
【００１３】
上記の雌継手５は、図３に示すように、雄継手６を受け入れる嵌入穴１２を有する内部部材１１と、その内部部材１１の外周に柄４の長さ方向にスライド自在に嵌められた筒状の操作部材２１を有する。上記の内部部材１１の一端に下端ネジ継手１７が設けられ、柄４と下端ネジ継手１７がネジ結合される。また、上記雄継手６は、上下方向に所要の間隔をおいて、２箇所の係合溝７、７’が周方向に設けられる。
【００１４】
上記の内部部材１１の下端部外周面には、外周突部１４が設けられ、また、操作部材２１内周面には、内周突部２２が設けられる。上記外周突部１４と内周突部２２の間にバネ部材１３が介在され、これら両部材に柄４の長さ方向の付勢力を与える。すなわち、そのバネ部材１３により内部部材１１を操作部材２１によって上向き、即ち網枠３の方向に付勢力を与える。
【００１５】
また、図４に示すように、操作部材２１に内部部材１１の抜け出しを防止する係止片２５が設けられる。この係止片２５は、上記の内周突部２２の上端内周辺に設けられ、上端に至るにしたがい、内方に若干傾斜している。さらに、内部部材１１の外周面に上記係止片２５と対向した係止溝１５が設けられる。上記係止片２５を上記係止溝１５の上端壁面に係止することにより、上記操作部材２１が、内部部材１１より抜け出すのが防止される。この係止片２５は、図２においては、４箇所に設けられるが、これに限定されるものではなく、内部部材１１と操作部材２１とが係合することができる個数を設ければよい。
【００１６】
さらにまた、図２に示すように、操作部材２１の内周面には案内溝２６が設けられ、内部部材１１の外周面には案内突部１８が設けられる。これらを設けることにより、内部部材１１と操作部材２１の周方向の位置関係が定められ、各係止片２５と各係止溝１５とが係合することができる。
【００１７】
上記案内突部１８には、嵌入穴１２に通じたロック片収納部１６が設けられ、ロック片８がこれに収納される。このロック片収納部１６は、図３に示すように、嵌入穴１２に通じる貫通部１９と貫通していない縦溝部２０、その縦溝部２０の下端左右に設けられた横溝部２０’（図６参照）とからなる。また、ロック片８は、その一部に突起部４１を有しており、この部分を嵌入穴１２に突出させる。また、この突起部４１には切込４２が設けられており、突起部４１をある程度弾性変形させることができる。また、突起部４１から脚部４３が下向きに延びており、その下端に左右方向に突出した支点ピン４４が設けられる。
【００１８】
また、このロック片収納部１６は、内部部材１１の係止溝１５との重複を避けるように、図２に示すように、内部部材１１の外周面の、異なる位置に設けられる。
【００１９】
上記ロック片８は、支点ピン４４を横溝部２０’に、脚部４３を縦溝部２０に、突起部４１をロック片収納部１６に配し、その突起部４１の先端部分を貫通部１９を通して、嵌入穴１２に突出するように配する。
【００２０】
このとき、案内溝２６の底面が押さえ面２３の作用をなし、ロック片８の背面、すなわち、ロック片８の突起部４１がある側と反対側にあてられる。これによりロック片８の突起部４１が嵌入穴１２に突出した状態で固定され、突起部４１を嵌入穴１２に挿入した雄継手６の係合溝７に係合させることができる。
【００２１】
上記案内溝２６の上方、すなわち、操作部材２１に設けた内周突部２２の上方は、案内溝２６の底面より一段外径側へ凹入した係合解除用の凹所２４となっており、操作部材２１をバネ部材１３の付勢力に抗してバネ部材が縮む方向に移動させると、図７（ａ）に示すように、ロック片８の背面は、係合解除用の凹所２４に開放される。ロック片８の突起部４１の、雄継手６の係合溝７又は７’と接触する部分に傾斜部４５、４５’が設けられるので、雄継手６の挿入時又は引き抜き時、このロック片８を支点ピン４４を起点に回動させ、突起部４１を有する部分を、図７（ａ）に示すように、一点鎖線の位置から実線の位置に逃がし、雄継手６の嵌入穴１２への挿入が可能となる。
【００２２】
図３及び図７に示した雄継手６には、２箇所の係合溝７、７’が設けられる。このうち、上方の係合溝７は、この溝７に上記ロック片８を係合した際、網枠３を円形に展開し、後述する網枠３の雌雄嵌合部３５、３６を嵌合した状態に保持できる雄継手６の位置に設けられる。さらに、下方の係合溝７’は、上記係合溝７から、上記雌雄嵌合部３５、３６の嵌合を解除できる位置だけ離れた位置に設けられる。また、目的及び用途に応じて、上記雄継手６に係合溝７の１本のみを設けることもできる。
【００２３】
雄継手６と雌継手５とを係合したとき、両者が相対的に回転することを防ぐため、雄継手６の外径断面及び雌継手５の内径断面の形状は、真円以外の形状、例えば、楕円形状や、四角形、五角形等の所定数の辺を有する形状、突起部及びこれと嵌合する凹部を有する形状等とすることができる。図２においては、これらの断面形状として、六角形の場合があげられる。
【００２４】
なお、雌継手５と柄４の連結は、上記ネジ継手１７による連結法のみに限られず、各種の連結法を採用することができる。例えば、雌継手５と柄４とを接着剤やビス等で接合し、一体化することができる。
【００２５】
次に、網枠３について説明する。
【００２６】
網枠３は、円形、逆三角形等、魚を掬うのに適した形状を採用することができる。この網枠３は、一体に形成し、その一箇所に上記雄継手６を外向けに突設してもよく、また、網枠３を所定数の部材の組み立て式にしてもよい。
【００２７】
例えば、図１及び図５に示すように、四分の一円形の２本の上部枠材３２’と、２本の下部枠材３２”の２組の組合せにより網枠３を構成し、上部枠材３２’と３２’相互を柄４と同一中心を有する連結ピン３１により連結し、上部枠材３２’と下部枠材３２”相互を、網枠３の円形展開時に網枠に３よって形成する平面に対して直角方向の連結ピン３３により屈曲自在に連結する。これら連結ピン３１及び３３と、後述する下部枠材３２”と３２”の相互間に設けた嵌合部３４とにより、図５に示すように、網枠３を４つ折りの状態にすることができる。詳しくは、連結ピン３１と嵌合部３４を支点に折り曲げて網枠３を２つ折りにし、続いて連結ピン３３、３３を支点にして折り曲げて、図５に示すように網枠３を４つ折りにすることができる。これにより、網枠３を小さくすることができ、持ち運びが容易となる。
【００２８】
下部枠材３２”と３２”の相互間に、網枠３の円形展開時に相互に嵌まり合う嵌合部３４、すなわち、雌雄の嵌合部３５、３６が設けられる。
【００２９】
雄嵌合部３６には、網枠３外方に向かって雄継手６が突設され、雌嵌合部３５には、その雄継手６を貫通させる穴３８が設けられる。このため、雌嵌合部３５と雄嵌合部３６が嵌合状態のときは、図１に示すように、網枠３が円形展開状態で保持される。また、雌嵌合部３５と雄嵌合部３６との嵌合を外したときは、この嵌合部３４で雌嵌合部３５と雄嵌合部３６とが互いに回転自在となるので、図５に示すように、網枠３に設けられた連結ピン３１、又は連結ピン３１及び３３で網枠３を折り畳むことができる。
【００３０】
雄継手６の係合溝７、７’は、上述のように２本設けられる。このとき、下方の係合溝７’で係合すると、雌継手５に挿入することにより、網枠３と柄４とが分離されることなく、嵌合部３４の嵌合を外し、網枠３を折り畳むことができる。また、網枠３を折り畳むときに網枠３と柄４とを連結する必要がないときは、雄継手６に１本の係合溝７を設ければ十分である。
【００３１】
次に、嵌合部３４、雄継手６及び雌継手５の連結機構について説明する。
【００３２】
これらは、図６に示すように、ロック片８を有する内部部材１１の外周に操作部材２１を嵌め込んで雌継手５を形成し、その雌継手５の嵌入穴１２に雄継手６を係合する。この雄継手６は、雄嵌合部３６に設けられており、雌嵌合部３５の穴３８を通じて雌継手５の嵌入穴１２に係合される。雄継手６の雄嵌合部３６側の係合溝７にロック片８を係合させると、図３に示すように、網枠３の雌嵌合部３５と雄嵌合部３６とが嵌合した状態で、雄継手６と雌継手５が係合される。
【００３３】
次いで、図７（ａ）に示すように、操作部材２１を下方、すなわち、図中の矢印の方にバネ部材１３の付勢力に抗してバネ部材１３が縮む方向に移動させると、ロック片８の背面が押さえ面２３から係合解除用の凹所２４に開放されるので、上述のとおり、雌継手５と雄継手６との係合を解除することができる。この解除状態で雄継手６を少し引き抜き、ロック片８が上記係合溝７’に対向したところで操作部材２１に加えた力を解除する。これにより、図７（ｂ）に示すように、ロック片８の突起部４１が係合溝７’に係合して雄継手６と雌継手５が係合される。このとき、嵌合部３４と雌継手５との間は、雌嵌合部３５の厚みの分の間隔を有するので、図７（ｂ）に示すように、雌嵌合部３５を雄嵌合部３６との嵌合から解除し、雄嵌合部３６と雌継手５との間に移動させることができる。このとき、雌嵌合部３５は回転自在となるので、この状態で、連結ピン３１及び３３で折り曲げることにより、網枠３を折り畳むことが可能となる。
【００３４】
なお、上記網枠３としては、図８に示すように、網枠３を構成する上部枠材３２’と下部枠材３２”を一体化した半円形の枠材３２を２本組合せて網枠３を構成してもよい。上記２本の枠材３２の一端相互間は、柄４と同一中心を有する上記連結ピン３１により連結され、また、他端相互間は、上記の嵌合部３４が設けられる。これらにより、網枠３を２つ折りとすることができる。
【００３５】
また、上記雄継手６は、各種の力が加わるので、図３又は図６に示すように、その中央部にステンレス製等の強化棒３７を通すことにより、雄継手６の強度をあげることができる。さらにまた、この強化棒３７の網枠３側端部を筒状にすることにより、その内部に小型の発光ダイオード等を挿入することが可能となり、夜中でもたも網の位置を確認することが可能となる。
【００３６】
さらに、網枠３をカーボン樹脂を用いれば、軽量で強度を持たせることが可能となる。このとき、網枠３が図１に示すように、２本の上部枠材３２’及び２本の下部枠材３２”で構成されているとき、柄４側により大きな負荷がかかるので、柄４側の下部枠材３２”を太めにし、上部枠材３２’を細めにすれば、より軽量に、かつ、より強度を増すことができ好ましい。
【００３７】
【発明の効果】
この発明によれば、網枠と柄とが分離自在で、その着脱は、雌継手の操作部材を柄の方向に引き下げ又は引き上げるのみで行うことができるので、片手での操作が可能となり、分解状態にあったたも網を片手で容易に組み立てることができる。
【００３８】
また、雄継手に２本の係合溝を設けると、網枠と柄とを分離することなく、網枠の嵌合部の嵌合を外すことができ、網枠に設けた連結ピン及び網枠の嵌合部を基点に折り曲げることができ、網枠自体を小さく折り畳むことが可能となる。
【図面の簡単な説明】
【図１】この発明にかかるたも網の例を示す斜視図
【図２】図１のたも網の雌継手の部分の横断断面図
【図３】図２のＡ−Ａ断面図
【図４】図２のＢ−Ｂ断面図
【図５】図１のたも網の折り畳んだ状態を示す斜視図
【図６】図１のたも網の雌継手の部分の組み立て図
【図７】（ａ）図１のたも網の嵌合部を嵌合した状態を示す縦断断面図
（ｂ）図１のたも網の嵌合部を外した状態を示す縦断断面図
【図８】たも網の他の例の折り畳んだ状態を示す斜視図
【符号の説明】
１  たも網
２  網
３  網枠
４  柄
５  雌継手
６  雄継手
７、７’  係合溝
８  ロック片
１１  内部部材
１２  嵌入穴
１３  バネ部材
１４  外周突部
１５  係止溝
１６  ロック片収納部
１７  ネジ継手
１８  案内突部
１９  貫通部
２０  縦溝部
２０’  横溝部
２１  操作部材
２２  内周突部
２３  押さえ面
２４  係合解除用凹所
２５  係止片
２６  案内溝
３１  連結ピン
３２  枠材
３２’  上部枠材
３２”  下部枠材
３３  連結ピン
３４  嵌合部
３５  雌嵌合部
３６  雄嵌合部
３７  強化棒
３８  穴
４１  突起部
４２  切込み
４３  脚部
４４  支点ピン
４５、４５’  傾斜部
【図１】
0003798518.tif 000002
【図２】
0003798518.tif 000003
【図３】
0003798518.tif 000004
【図４】
0003798518.tif 000005
【図５】
0003798518.tif 000006
【図６】
0003798518.tif 000007
【図７】
0003798518.tif 000008
【図８】
0003798518.tif 000009